(57)【要約】【課題】上枠と左右の縦枠及び下枠から構成される屋外開口部サッシ枠であって、アルミ形材と樹脂形材から形成された複合サッシ枠構造に関し、下枠上面の外観意匠性に優れ、耐摩耗性、耐傷付性、断熱性能が高い枠構造を提供することを目的とする。【解決手段】上枠と左右の縦枠はそれぞれアルミ形材で形成した室外部と、樹脂形材で形成した室内部とを結合した複合サッシ枠とし、これら室外部と室内部をそれぞれ異なる色調で統一し、上面略フラットに形成した下枠のみ室内外部ともアルミ形材で形成し、少なくとも下枠上面を当該上枠と左右の縦枠の室外部及び室内部のいずれとも異なる色調に設定し、下枠を溝の凹部奥等そのフラット面からは見え難い部分にて、室外部と室内部との間を低熱伝導性材で断熱した。【選択図】  図１
2004300810.tif 000002
【特許請求の範囲】
【請求項１】
上枠と左右の縦枠及び下枠から構成される屋外開口部サッシ枠構造において、上枠と左右の縦枠はそれぞれアルミ形材で形成した室外部と、樹脂形材で形成した室内部とを結合した複合サッシ枠とし、これら室外部と室内部をそれぞれ異なる色調で統一し、上面略フラットに形成した下枠のみ室内外部ともアルミ形材で形成し、少なくとも下枠上面を当該上枠と左右の縦枠の室外部及び室内部のいずれとも異なる色調に設定したことを特徴とするサッシ枠構造。
【請求項２】
下枠を溝の凹部等そのフラット面からは見え難い部分にて、室外部と室内部との間を低熱伝導性材で断熱したことを特徴とする請求項１記載のサッシ枠構造。
【請求項３】
内・外障子下框にそれぞれ垂下片を形成した引き違い障子において、これらの垂下片が嵌入するスライド溝を下枠上面にそれぞれ形成し、内障子の垂下片が嵌入するスライド溝を境にした分断部を低熱伝導性材で連結したことを特徴とする請求項２記載のサッシ枠構造。
【請求項４】
上枠と左右の縦枠のみ、その室内部を木目調にした請求項１〜３のいずれかに記載のサッシ枠構造。
【発明の詳細な説明】
【０００１】
【発明の属する技術分野】
本発明は、上枠と左右の縦枠及び下枠から構成される屋外開口部サッシ枠構造において、特に下枠上面を略フラットに形成したアルミと樹脂の複合サッシにおける枠構造に係る。
【０００２】
【従来の技術】
屋外との出入口に上枠と左右の縦枠及び下枠から構成されるサッシ枠を設けてその枠内に開閉可能に障子が備えられている。
建物の冷暖房効率の向上や、熱伝導による結露発生を防止するために、屋外部と屋内部を断熱する構造のサッシ枠が採用されている（特開平１０−３１７８０７号公報）。
その際、サッシ枠の室内側を断熱樹脂等を用いて覆った断熱構造が採用されるが、下枠部分においてそのように断熱樹脂を使用した場合、樹脂部分が耐摩耗性、耐傷付性に劣り、キズ等が発生する問題があった。
このため、下枠部分をアルミ等耐摩耗性、耐傷付性に優れた材料で形成すると、屋外側と屋内側の断熱性が失われる上に、下枠上面の屋内側に、縦枠や上枠に設けられている断熱樹脂と外観意匠が異なることになる。
そこで、室内部を塗装やシートを貼ることで対応することも考えられる。
しかし、特に断熱樹脂に木目調が施されている場合等には、塗装やシートでは質感が異なり図４にサッシ枠の外観イメージを示すように不自然となり、外観意匠上問題があった。
【０００３】
【特許文献１】
特開平１０−３１７８０７号公報
【０００４】
【発明が解決しようとする課題】
本発明は、上枠と左右の縦枠及び下枠から構成される屋外開口部サッシ枠であって、アルミ形材と樹脂形材から形成された複合サッシ枠構造に関し、下枠上面の外観意匠性に優れ、耐摩耗性、耐傷付性、断熱性能が高い枠構造を提供することを目的とする。
【０００５】
【課題を解決するための手段】
請求項１記載の発明は、上枠と左右の縦枠及び下枠から構成される屋外開口部サッシ枠構造において、上枠と左右の縦枠はそれぞれアルミ形材で形成した室外部と、樹脂形材で形成した室内部とを結合した複合サッシ枠とし、これら室外部と室内部をそれぞれ異なる色調で統一し、上面略フラットに形成した下枠のみ室内外部ともアルミ形材で形成し、少なくとも下枠上面を当該上枠と左右の縦枠の室外部及び室内部のいずれとも異なる色調に設定した。
【０００６】
下枠上面の色調を上枠及び左右の縦枠の室外部及び室内部のいずれとも異なる色調に設定することで、下枠上面は屋外と屋内の通路部として位置付けられ、通路に適した色調が設定可能となる。
また、下枠をアルミ形材（アルミニウム押出形材）で形成し、上枠の上面にＳＵＳ材をカバー部材として取り付け、下枠の上面の外観を形成してもよい。
【０００７】
請求項２記載の発明は、下枠を溝の凹部奥等そのフラット面からは見え難い部分にて、室外部と室内部との間を低熱伝導性材で断熱した。
これにより、下枠の断熱性を確保しながら下枠上面を耐傷付性に優れたアルミ形材で形成することが出来る。
【０００８】
請求項３記載の発明は、内・外障子下框にそれぞれ垂下片を形成した引き違い障子において、これらの垂下片が嵌入するスライド溝を下枠上面にそれぞれ形成し、内障子の垂下片が嵌入するスライド溝を境にした分断部を低熱伝導性材で連結した。
【０００９】
内障子下框垂下片の嵌入するスライド溝を境にした分断部を低熱伝導性材で連結することで、スライド溝を境に仕切られる屋外側と屋内側の断熱を効率良く実現出来る。
発明においては、上枠と左右の縦枠のみ、その室内部を木目調にした場合に特に効果を発揮する。
【００１０】
【発明の実施の形態】
図１に本発明に係るアルミと樹脂の複合サッシの枠構造の実施例のイメージ図を示す。
室外側に面し、室外部である上枠ベース部材２０ａと右縦枠ベース部材３０ａと左縦枠ベース部材４０ａはアルミ形材で形成され、室外外観に配慮した色調となっている。
室内側に面し、室内部である上枠室内部材２０ｂと右縦枠室内部材３０ｂと左縦枠室内部材４０ｂは樹脂形材で形成され、室内外観に配慮した木目調等の色調となっている。
木目調にするには、樹脂基材に色を数色練り込み、押出し時の材料の流動性を利用して木目調を出す方法と、基材に木粉を練り込み木目調を出す方法がある。
木粉は一般的に高価であったりするので、この場合は障子閉鎖時の主な見え掛かり部のみに木粉を練り込んだ樹脂を表面のみ配置して、それ以外の樹脂表面は木粉類似色の単色を配置しても室内部を木目調にした場合と同様の効果がある。
下枠１０ａは室内外部ともアルミ形材で形成され、下枠上面１４は通常通行するに際して躓きや嵌り込みの原因となる凹凸のない略フラットに形成されている。
上枠２０は上枠ベース部材２０ａと上枠室内部材２０ｂが結合し、縦枠は右縦枠ベース部材３０ａと右縦枠室内部材３０ｂ、左縦枠ベース部材４０ａと左縦枠室内部材４０ｂが結合し、室外部と室内部が結合した複合サッシ構造を形成している。
【００１１】
下枠上面１４はアルミ形材で形成されているため、耐摩耗性、耐傷付性に優れている。
また、下枠上面１４には通路の室外側と室内側の通路部として、室外部及び室内部のいずれとも異なる色調に設定した、適切な色調の塗装が施されているために不自然さはなく外観意匠に優れている。
また、下枠をアルミ形材（アルミニウム押出形材）で形成し、この下枠上面１４にＳＵＳ材等の更に耐摩耗性、耐傷付性に優れ、塗装も施しやすい板材により形成されたカバー部材を取り付けて、下枠の上面の外観を形成してもよい。
この下枠上面１４はＳＵＳ材等により形成したカバー部材で覆うことでもＳＵＳ色で統一されたり、適切な色調に各種着色することで外観意匠が向上する。
このように、カバー部材を取り付けることで建物の内装、外装や使用者の好みに応じて、サッシ枠の上枠や左右の縦枠とは異なる外観に仕上げ、通路としての統一性を図ることも出来る。
【００１２】
図２に本発明に係る複合サッシの枠構造を断熱サッシに適用し、下枠上面にカバー部材を取り付けた実施例の下枠付近の拡大図を示す。
外障子下框５１の室外側よりから垂下片５１ｅが垂下され、下枠上面１５にはこの垂下片５１ｅが嵌入するスライド溝１３ａが設けられ、内障子下框６１の室外側よりから垂下片６１ｅが垂下され、下枠上面１５にはこの垂下片６１ｅが嵌入するスライド溝１３ｂが設けられている。
下枠上面は略フラットに形成され、ＳＵＳ材等で形成されたカバー部材１５ｅ、１５ｆ、１５ｇ、１５ｈで覆われ、耐摩耗性、耐傷付性に優れ、塗装も良好に実施されている。
【００１３】
図２に基づいて断熱構造を説明する。
下枠１０の下枠ベース部は、室外部の室外側下枠ベース部材１１と室内部の室内側下枠ベース部材１２を低熱伝導性材１６にて、躯体取付け面１ａ上で連結して形成されている。
低熱伝導性材１６は、室外側下枠ベース部材１１と室内側下枠ベース部材１２が、内障子スライド溝１３ｂを境にして分断された分断部を連結し断熱を行っている。
低熱伝導性材１６は、内障子スライド溝１３ｂの下方に設けられ、カバー部材１５ｅ、１５ｆ、１５ｇ、１５ｈで形成される下枠上面１５のフラット面からは見え難く設けられ、内障子スライド溝１３ｂを境にした室外部と室内部の断熱を行っている。
【００１４】
上面部材１５ａは、室外側下枠ベース部材１１上部に第３立ち上がり片１０３と第４立ち上がり片１０４を設けて形成される凹部に、断熱部材１５ｃ及び断熱部材１５ｄを挟んで嵌合されている。
金属製の上面部材１５ａは、室外側下枠ベース部材１１との間を断熱部材１５ｃ及び断熱部材１５ｄにより断熱されている。
これにより、障子が閉じた状態で外障子が位置する部分の外障子スライド溝１３ａを境にした室外部と室内部の断熱を行い、上面部材１５ａへの熱伝導や結露の発生を防止している。
この上面部材１５ａは、少なくとも室内部に位置する部分が断熱されていればよい。
断熱部材１５ｃは上面部材１５ｂの下部に挟まれ、断熱部材１５ｄは薄い形状で上面部材１５ａと立ち上がり片１０９の間に挟まれているために、フラット面からは見え難い構造となっている。
【００１５】
この下枠上面１５のカバー部材１５ｅ、１５ｆ、１５ｇ、１５ｈには、上枠及び縦枠の室外部及び室内部に施されている色調とは、いずれとも異なる色調となっている。
【００１６】
また、図３に下枠上面のカバー部材を取り外した例を示す。
下枠上面１１ａ、１１ｂ、１１ｃ、１１ｄには上枠及び縦枠の室外部及び室内部に施されている色調とは、いずれとも異なる色調の塗装が施されている。
【００１７】
【発明の効果】
本発明においては、下枠上面の色調を下枠及び左右の縦枠の室外部及び室内部のいずれとも異なる色調に設定することで、下枠上面は屋外と屋内の通路として、室外部及び室内部のフロアーの一部として適した色調が設定可能となる。
特に、上枠と左右の縦枠の室内部を木目調にした場合に、下枠の室内部も木目調にするよりもフロアーの色調に合わせるか木目調以外の全く別の色調に合わせた方が開口部の見映えがよい。
【００１８】
下枠は、そのフラット面からは見え難い部分にて室外部と室内部との間を低熱伝導性材で断熱することで、下枠の断熱性を確保しながら下枠上面を耐摩耗性、耐傷付性に優れたアルミ形材等で形成することが出来る。
また、更に傷が付きにくいＳＵＳカバー部材でアルミ形材の上面を覆い、ＳＵＳ色あるいはＳＵＳ材に各種着色することで、サッシ枠の左右の縦枠とは異なる外観に仕上げ、通路としての統一性を図ることも出来る。
【００１９】
内障子下框に設けた垂下片が嵌入した下枠上面のスライド溝を境にした分断部を低熱伝導性材で連結した場合、スライド溝を境に仕切られる屋外側と屋内側の断熱を効率良く実現出来る。
【図面の簡単な説明】
【図１】本発明に係る枠構造を適用した枠に施された色調を表すイメージ図を示す。
【図２】カバー部材を取り付けた場合の下枠付近の拡大図を示す。
【図３】カバー部材を取り付けない場合の下枠付近の拡大図を示す。
【図４】下枠上面の室内側へ枠の室内部状の塗装を実施したイメージ図を示す。
【符号の説明】
１      躯体取付け部
１ａ    躯体取付け面
１０、１０ａ    下枠
１１    室外側下枠ベース部材
１１ａ、１１ｂ、１１ｃ、１１ｄ  下枠上面
１２    室内側下枠ベース部材
１３ａ  外障子用スライド溝
１３ｂ  内障子用スライド溝
１４、１５  下枠上面
１５ａ  上面部材
１５ｃ、１５ｄ  低熱伝導性材
１５ｅ、１５ｆ、１５ｇ、１５ｈ  カバー部材
１６    低熱伝導性材
２０    上枠
２０ａ  上枠ベース部材
２０ｂ  上枠室内部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ｅ  外障子下框垂下片
６０    内障子
６１    内障子下框
６１ｅ  内障子下框垂下片
１０３  第３立ち上がり片
１０４  第４立ち上がり片
【図１】
2004300810.tif 000003
【図２】
2004300810.tif 000004
【図３】
2004300810.tif 000005
【図４】
2004300810.tif 000006